(57)【要約】 【課題】  地震等で横方向の力が加わったとき、容易に横方向（例えば前後又は左右）にスライドすることによって、振動発生時の衝撃を和らげる。【解決手段】  第１傾斜面（１１、３１）と、前記第１傾斜面（１１、３１）にスライドする第３傾斜面（１３、３３）と、第２傾斜面（１２、３２）と、前記第２傾斜面（１２、３２）にスライドする第４傾斜面（１４、３４）を有し、第１傾斜面（１１、３１）と第３傾斜面（１３、３３）は同じ勾配を有し、第２傾斜面（１２、３２）と第４傾斜面（１４、３４）が同じ勾配を有し、しかも、第１傾斜面（１１、３１）及び第３傾斜面（１３、３３）が第２傾斜面（１２、３２）及び第４傾斜面（１４、３４）に対して逆の傾斜方向になっていることを特徴とするスライド式ブロック。【選択図】  図４
2006183790.tif 000002
【特許請求の範囲】
【請求項１】
第１傾斜面（１１、３１）と、前記第１傾斜面（１１、３１）にスライドする第３傾斜面（１３、３３）と、第２傾斜面（１２、３２）と、前記第２傾斜面（１２、３２）にスライドする第４傾斜面（１４、３４）を有し、第１傾斜面（１１、３１）と第３傾斜面（１３、３３）は同じ勾配を有し、第２傾斜面（１２、３２）と第４傾斜面（１４、３４）が同じ勾配を有し、しかも、第１傾斜面（１１、３１）及び第３傾斜面（１３、３３）が第２傾斜面（１２、３２）及び第４傾斜面（１４、３４）に対して逆の傾斜方向になっていることを特徴とするスライド式ブロック。
【請求項２】
少なくとも３つのブロック部分（３５、３６、３７）を有し、各ブロック部分（３５、３６、３７）が積層されて配置されていて、各ブロック部分（３５、３６、３７）の間に第１〜第４傾斜面（３１、３２、３３、３４）が設けられており、第１〜第４傾斜面（３１、３２、３３、３４）のスライドする方向が各ブロック部分（３５、３６、３７）の間毎にずれていることを特徴とする請求項１に記載のスライド式ブロック。
【請求項３】
少なくとも２つの第１傾斜面（１１、３１）と少なくとも２つの第３傾斜面（１３、３３）が、ともに間隔を空けて設けられていることを特徴とする請求項１又は２に記載のスライド式ブロック。
【請求項４】
少なくとも２つの第２傾斜面（１２、３２）と少なくとも２つの第４傾斜面（１４、３４）が、ともに間隔を空けて設けられていることを特徴とする請求項１〜３のいずれか１項に記載のスライド式ブロック。
【請求項５】
第１傾斜面（１１、３１）と第２傾斜面（１２、３２）が、それぞれ矩形、楕円形、多角形、及びＵ形から選択された１つの断面形状を有する突起から構成されていて、第３傾斜面（１３、３３）と第４傾斜面（１４、３４）が、それぞれ突起の断面形状に対応する断面形状を有する溝から構成されていることを特徴とする請求項１〜４のいずれか１項に記載のスライド式ブロック。
【発明の詳細な説明】
【技術分野】
【０００１】
本発明は、スライド式ブロックに関する。
【背景技術】
【０００２】
従来、種々の構造物を基台に据え付ける際に、構造物と基台の間に介在させるブロックが公知である。
【０００３】
そのようなブロックの一例として、レベリングブロックがある。レベリングブロックは、機械等を受ける上側部分と、基礎に配置される下側部分を有し、上側部分と下側部分が互いにスライド可能に構成されていて、機械等を所望のレベルに水平に据え付けるために使用されている。
【０００４】
特許文献１には、支持用の上面が機械基板の底面に自動的に密着した状態とされるレベリングブロックが示されている。
【０００５】
特許文献２には、工作機械のベッドとレベリングブロックとの間及びレベリングブロックと基礎上面との間の滑りを防止する、レベリングブロックが示されている。
【特許文献１】特開平１０−２０３７８８号公報
【特許文献２】特開２０００−３３４６３１号公報
【発明の開示】
【発明が解決しようとする課題】
【０００６】
種々の構造物を据え付ける際に、構造物の所望の水平レベルを保つことの他、構造物の横方向に加えられた力を和らげることができると、構造物の安全上好ましい。
【０００７】
本発明は、地震等で横方向の力が加わったとき、容易に横方向（例えば前後方向又は左右方向）にスライドすることによって、振動発生時の衝撃を和らげることが可能なスライド式ブロックを提供することを目的としている。
【課題を解決するための手段】
【０００８】
本発明の解決手段を例示すると、以下のとおりである。
【０００９】
（１）  第１傾斜面（１１、３１）と、前記第１傾斜面（１１、３１）にスライドする第３傾斜面（１３、３３）と、第２傾斜面（１２、３２）と、前記第２傾斜面（１２、３２）にスライドする第４傾斜面（１４、３４）を有し、第１傾斜面（１１、３１）と第３傾斜面（１３、３３）は同じ勾配を有し、第２傾斜面（１２、３２）と第４傾斜面（１４、３４）が同じ勾配を有し、しかも、第１傾斜面（１１、３１）及び第３傾斜面（１３、３３）が第２傾斜面（１２、３２）及び第４傾斜面（１４、３４）に対して逆の傾斜方向になっていることを特徴とするスライド式ブロック。
【００１０】
（２）  少なくとも３つのブロック部分（３５、３６、３７）を有し、各ブロック部分（３５、３６、３７）が積層されて配置されていて、各ブロック部分（３５、３６、３７）の間に第１〜第４傾斜面（３１、３２、３３、３４）が設けられており、第１〜第４傾斜面（３１、３２、３３、３４）のスライドする方向が各ブロック部分（３５、３６、３７）の間毎にずれていることを特徴とする前述のスライド式ブロック。
【００１１】
（３）  少なくとも２つの第１傾斜面（１１、３１）と少なくとも２つの第３傾斜面（１３、３３）が、ともに間隔を空けて設けられていることを特徴とする前述のスライド式ブロック。
【００１２】
（４）  少なくとも２つの第２傾斜面（１２、３２）と少なくとも２つの第４傾斜面（１４、３４）が、ともに間隔を空けて設けられていることを特徴とする前述のスライド式ブロック。
【００１３】
（５）  第１傾斜面（１１、３１）と第２傾斜面（１２、３２）が、それぞれ矩形、楕円形、多角形、及びＵ形から選択された１つの断面形状を有する突起から構成されていて、第３傾斜面（１３、３３）と第４傾斜面（１４、３４）が、それぞれ突起の断面形状に対応する断面形状を有する溝から構成されていることを特徴とする前述のスライド式ブロック。
【発明の効果】
【００１４】
本発明のスライド式ブロックによれば、加えられた力による衝撃を和らげることができる。例えば、地震等で機械等の構造物に力が加わった時、容易に所定の方向（例えば前後又は左右）にスライドして自動的に元の位置に戻ることが可能となる。こうして振動発生時の衝撃を和らげることが可能になる。
【００１５】
少なくとも３つのブロック部分を有し、各ブロック部分が積層された状態で配置されていて、各ブロック部分の間に第１〜第４傾斜面が設けられており、第１〜第４傾斜面のスライドする方向が各ブロック部分の間毎にずれている構成にすれば、第１傾斜面と第３傾斜面及び／又は第２傾斜面と第４傾斜面が前後左右にスライド可能となる。或いは、加えられた力を第１〜第４傾斜面のスライドする各方向に分散できる。
【００１６】
少なくとも２つの第１傾斜面と少なくとも２つの第３傾斜面が、ともに間隔を空けて設けられていると、少なくとも２つの第１傾斜面と少なくとも２つの第３傾斜面が互いに安定してスライド可能となる。
【００１７】
少なくとも２つの第２傾斜面と少なくとも２つの第４傾斜面が、ともに間隔を空けて設けられていると、少なくとも２つの第２傾斜面と少なくとも２つの第４傾斜面が互いに安定してスライド可能となる。
【００１８】
第１傾斜面と第２傾斜面が、それぞれ矩形、楕円形、多角形、及びＵ形から選択された１つの断面形状を有する突起から構成されていて、第３傾斜面と第４傾斜面が、それぞれ突起の断面形状に対応する断面形状を有する溝から構成されていると、第１傾斜面と第３傾斜面又は第２傾斜面と第４傾斜面が断面形状に応じて正確にスライド可能となる。
【発明を実施するための最良の形態】
【００１９】
本発明の最良の形態によるスライド式ブロックは、第１傾斜面と、前記第１傾斜面にスライドする第３傾斜面と、第２傾斜面と、前記第２傾斜面にスライドする第４傾斜面を有し、第１傾斜面と第３傾斜面は同じ勾配を有し、第２傾斜面と第４傾斜面が同じ勾配を有し、しかも、第１傾斜面及び第３傾斜面が第２傾斜面及び第４傾斜面に対して逆の傾斜方向になっていることを特徴とする。
【００２０】
本発明によるスライド式ブロックは、機械等のための架台として好適に使用されるが、その他種々の構造物を据え付けるためのブロックとして使用可能である。
【００２１】
第１傾斜面及び第３傾斜面が第２傾斜面及び第４傾斜面に対して逆の傾斜方向であれば良い。例えば、第１傾斜面及び第３傾斜面の傾斜方向が上方向の場合は、第２傾斜面および第４傾斜面の傾斜方向は下方向であれば良い。
【００２２】
後述の実施例のように、第１傾斜面及び第３傾斜面の傾斜方向は、第２傾斜面及び第４傾斜面の傾斜方向と正反対になっているのが好ましいが、一方の傾斜方向を急勾配にし他方の傾斜方向をなだらかな勾配にしてスライド方向を制御することもできる。
【００２３】
少なくとも３つのブロック部分を有し、各ブロック部分が積層された状態で配置されていて、各ブロック部分の間に第１〜第４傾斜面が設けられており、第１〜第４傾斜面のスライドする方向が各ブロック部分の間毎にずれているのが好ましい。とくに、後述の実施例のように、３つのブロック部分を有し、各ブロック部分が積層された状態で配置されていて、各ブロック部分の間に第１〜第４傾斜面が設けられており、第１〜第４傾斜面のスライドする方向が各ブロック部分の間毎に９０°ずれているのが好ましい。もっとも、４つのブロック部分を有し、第１〜第４傾斜面のスライドする方向が各ブロック部分の間毎に６０°ずれている構成にすることもできる。さらに組数を増やすことによって、四方八方の細かな角度の揺れにも対応可能なスライド式ブロックとすることも可能である。
【００２４】
本発明は２つのブロック部分から形成されるスライド式ブロックの形態を含む。
【００２５】
更に、本発明は、第１〜第４傾斜面が各々別体のブロック部分に設けられたスライド式ブロックの形態を含む。この場合、別体のブロック部分の位置を適宜調節することにより、据え付けられた構造物の高さを調節（レベリング）することもできる。
【００２６】
第１〜第４傾斜面のスライドする方向が、各ブロック部分の間毎にずれていることは、例えば、ある一組の第１〜第４傾斜面のスライドする方向の水平成分に沿った方向が、他の組の第１〜第４傾斜面のスライドする方向の水平成分に沿った方向と、それぞれずれていることをいう。
【００２７】
少なくとも２つの第１傾斜面と少なくとも２つの第３傾斜面が、ともに間隔を空けて設けられている構成が好ましい。その他、本発明は、第１傾斜面と第３傾斜面を各々少なくとも１つ有するブロック部分を少なくとも２つ平面上に間隔を空けて配置する構成を含む。
【００２８】
少なくとも２つの第２傾斜面と少なくとも２つの第４傾斜面が、ともに間隔を空けて設けられている構成が好ましい。その他、本発明は、第２傾斜面と第４傾斜面を各々少なくとも１つ有するブロック部分を少なくとも２つ平面上に間隔を空けて配置する構成を含む。
【００２９】
第１傾斜面と第２傾斜面が、それぞれ矩形、楕円形、多角形、及びＵ形から選択された１つの断面形状を有する突起から構成されていて、第３傾斜面と第４傾斜面が、それぞれ突起の断面形状に対応する断面形状を有する溝から構成されているのが好ましい。第１傾斜面と第３傾斜面が矩形、楕円形、多角形、及びＵ形から選択された１つの断面形状を有する突起と溝からそれぞれ構成され、第２傾斜面と第４傾斜面が、対応する溝と突起からそれぞれ構成されていてもよい。
【００３０】
本発明によるスライド式ブロックには、鉄、アルミ等の金属の他、樹脂、木材等、種々の材質を採用可能である。
【実施例】
【００３１】
以下、図面を参照して本発明の実施例を説明する。
【００３２】
図１は、本発明によるスライド式ブロックを概念的に示す側面図である。
【００３３】
スライド式ブロック１０は、第１傾斜面１１と、第１傾斜面１１にスライドする第３傾斜面１３と、第２傾斜面１２と、第２傾斜面１２にスライドする第４傾斜面１４を有する。第１傾斜面１１と第３傾斜面１３は同じ勾配を有し、第２傾斜面１２と第４傾斜面１４は同じ勾配を有する。図１においては、第１傾斜面１１と第３傾斜面１３は図面手前側に設けられた右上がりの平滑面として構成され、第２傾斜面１２と第４傾斜面１４は図面奥側に設けられた右下がりの平滑面として構成されている。
【００３４】
図２は、図１の第１傾斜面１１と第３傾斜面１３が接触し、第２傾斜面１２と第４傾斜面１４が接触した状態を示す。図２に示された位置を基準位置とする。
【００３５】
平常時には、スライド式ブロック１０は、第１傾斜面１１と第３傾斜面１３が接触し、第２傾斜面１２と第４傾斜面１４が接触した基準位置に配置される。
【００３６】
第１〜第４傾斜面１１〜１４のスライドする方向に実質的に沿った方向に力が加えられた際には、第１傾斜面１１と第３傾斜面１３又は第２傾斜面１２と第４傾斜面１４が基準位置から相対的にスライドする。この場合、第１〜第４傾斜面１１〜１４のスライドする方向に実質的に沿った方向は、第１〜第４傾斜面１１〜１４のいずれかがスライドする方向、第１〜第４傾斜面１１〜１４のスライドする方向の水平成分に沿った方向、その他これらに近接した方向を含む。また、第１〜第４傾斜面１１〜１４のスライドする方向に実質的に沿った方向に力が加えられる場合は、第１〜第４傾斜面１１〜１４のスライドする方向に実質的に沿った方向に全ての力が加えられる場合の他、第１〜第４傾斜面１１〜１４のスライドする方向に実質的に沿った方向に力の一成分が加えられる場合を含む。
【００３７】
図３は、図１の第１傾斜面１１と第３傾斜面１３が基準位置から相対的にスライドした状態を示す。
【００３８】
例えば、第１〜第４傾斜面１１〜１４のスライドする方向の水平成分と平行な方向をＸ方向とする。
【００３９】
Ｘ方向と同じ方向に沿った力Ｆが第３傾斜面１３と第４傾斜面１４に加えられた際には、第１傾斜面１１と第３傾斜面１３は図２に示された基準位置から相対的にスライドする。この場合、第２傾斜面１２と第４傾斜面１４は互いに離れる。
【００４０】
逆に、Ｘ方向と逆の方向に沿った力が第３傾斜面１３と第４傾斜面１４に加えられた際には、第２傾斜面１２と第４傾斜面１４は図２に示された基準位置から相対的にスライドする（図示省略）。この場合、第１傾斜面１１と第３傾斜面１３は互いに離れる。
【００４１】
その後、第１傾斜面１１と第２傾斜面１２が設けられた部材の重力により、第１傾斜面１１と第２傾斜面１２は基準位置に戻る。もっとも、第１〜第４傾斜面１１〜１４のスライドする方向に実質的に沿った方向と反対方向の力が加えられることで、第１傾斜面１１と第２傾斜面１２が基準位置に戻る場合もある。
【００４２】
このように、第１傾斜面１１と第３傾斜面１３が相対的にスライドし、又は、第２傾斜面１２と第４傾斜面１４が相対的にスライドすることにより、第１傾斜面１１と第２傾斜面１２が第３傾斜面１３と第４傾斜面１４に対して横ずれする。こうして例えば地震などの振動（又は力）が加わった時は、振動（又は力）による衝撃が和らげられるようになっている。
【００４３】
図４は、本発明のスライド式ブロックの一例を示す分解斜視図である。
【００４４】
スライド式ブロック３０は、第１ブロック部分３５、第２ブロック部分３６、及び第３ブロック部分３７を有する。第１〜第３ブロック部分３５〜３７は、積層された状態で配置される。
【００４５】
第１ブロック部分３５は一体的な剛体部材で形成されていて、その下面に２つの第１傾斜面３１と２つの第２傾斜面３２を有している。第２ブロック部分３６は一体的な剛体部材で形成されていて、その上面に２つの第３傾斜面３３と２つの第４傾斜面３４を有している。第１傾斜面３１は第３傾斜面３３にスライドし、第２傾斜面３２は第４傾斜面３４にスライドする。第１傾斜面３１と第３傾斜面３３は同じ勾配を有し、第２傾斜面３２と第４傾斜面３４は同じ勾配を有する。図４においては、２つの第１傾斜面３１は２つの第２傾斜面３２の外側に設けられた図面奥側に上った断面矩形の突起として構成され、２つの第２傾斜面３２は２つの第１傾斜面３１の内側に設けられた図面奥側に下がった断面矩形の突起として構成されている。２つの第３傾斜面３３は２つの第４傾斜面３４の外側に設けられた図面奥側に上った断面矩形の溝として構成され、２つの第４傾斜面３４は２つの第３傾斜面３３の内側に設けられた図面奥側に下がった断面矩形の溝として構成されている。
【００４６】
第２ブロック部分３６と第３ブロック部分３７の間には、更に、もう一組の第１傾斜面３１、第２傾斜面３２、第３傾斜面３３、及び第４傾斜面３４が設けられている。なお、同じ形状を有する部分には同じ符号を付してある。
【００４７】
第２ブロック部分３６と第３ブロック部分３７の間に設けられた第１〜第４傾斜面３１〜３４のスライドする方向は、第１ブロック部分３５と第２ブロック部分３６の間に設けられた第１〜第４傾斜面３１〜３４のスライドする方向に対して９０°ずれている。
【００４８】
図５は、図４のブロック部分が積み重ねられた状態を示す正面図である。図６は、図５の側面図である。図７は、図５の上面図である。図８は、図５の底面図である。
【００４９】
平常時には、スライド式ブロック３０は、第１傾斜面３１と第３傾斜面３３が接触し、第２傾斜面３２と第４傾斜面３４が接触した基準位置に配置される。
【００５０】
第１〜第４傾斜面３１〜３４のスライドする方向に実質的に沿った方向に力が加えられた際には、第１傾斜面３１と第３傾斜面３３又は第２傾斜面３２と第４傾斜面３４が基準位置から相対的にスライドする。この場合、第１〜第４傾斜面３１〜３４のスライドする方向に実質的に沿った方向は、第１〜第４傾斜面３１〜３４のいずれかがスライドする方向、第１〜第４傾斜面３１〜３４のスライドする方向の水平成分に沿った方向、その他これらに近接した方向を含む。また、第１〜第４傾斜面３１〜３４のスライドする方向に実質的に沿った方向に力が加えられる場合は、第１〜第４傾斜面３１〜３４のスライドする方向に実質的に沿った方向に全ての力が加えられる場合の他、第１〜第４傾斜面３１〜３４のスライドする方向に実質的に沿った方向に力の一成分が加えられる場合を含む。
【００５１】
例えば、第１ブロック部分３５と第２ブロック部分３６の間の第１〜第４傾斜面３１〜３４がスライドする方向の水平成分と平行な方向をＸ方向とし、第２ブロック部分３６と第３ブロック部分３７の間の第１〜第４傾斜面３１〜３４がスライドする方向の水平成分と平行な方向をＹ方向とする。Ｘ方向とＹ方向は９０°ずれている。
【００５２】
Ｘ方向と同じ方向に沿った力が第３ブロック部分３７を介して第２ブロック部分３６に加えられた際には、第１ブロック部分３５と第２ブロック部分３６の間の第２傾斜面３２と第４傾斜面３４は図５〜８に示された基準位置から相対的にスライドする（図示省略）。この場合、第１傾斜面３１と第３傾斜面３３は互いに離れる。
【００５３】
或いは、Ｙ方向と同じ方向に沿った力が第３ブロック部分３７に加えられた際には、第２ブロック部分３６と第３ブロック部分３７の間の第２傾斜面３２と第４傾斜面３４が図５〜８に示された基準位置から相対的にスライドする（図示省略）。この場合、第１傾斜面３１と第３傾斜面３３は互いに離れる。
【００５４】
その後、第１ブロック部分３５の重力又はこれと第２ブロック部分３６の重力により、第１ブロック部分３５と第２ブロック部分３６は基準位置に戻る。もっとも、第１〜第４傾斜面３１〜３４のスライドする方向に実質的に沿った方向と反対方向の力が加えられることで、第１ブロック部分３５と第２ブロック部分３６が基準位置に戻る場合もある。
【００５５】
このように、第１傾斜面３１と第３傾斜面３３が相対的にスライドし、又は、第２傾斜面３２と第４傾斜面３４が相対的にスライドすることにより、第１傾斜面３１と第２傾斜面３２が第３傾斜面３３と第４傾斜面３４に対して横ずれする。こうして例えば地震などの振動（又は力）が加わった時は、振動（又は力）による衝撃が和らげられるようになっている。
【００５６】
図９は、本発明のスライド式ブロックの変形例を示す分解斜視図である。
【００５７】
図９に示されたスライド式ブロック１３０は、図４〜８に示されたスライド式ブロック３０と比較すると、第１傾斜面１３１、第２傾斜面１３２、第３傾斜面１３３、及び第４傾斜面１３４の形状が異なっている。以下異なる部分を説明する。
【００５８】
２つの第１傾斜面１３１は２つの第２傾斜面１３２の外側に設けられた図面奥側に上った断面略半円形の突起として構成され、２つの第２傾斜面１３２は２つの第１傾斜面１３１の内側に設けられた図面奥側に下がった断面略半円形の突起として構成されている。さらに、２つの第３傾斜面１３３は２つの第４傾斜面１３４の外側に設けられた図面奥側に上った断面略半円形の溝として構成され、２つの第４傾斜面１３４は２つの第３傾斜面１３３の内側に設けられた図面奥側に下がった断面略半円形の溝として構成されている。
【００５９】
図１０〜１２は、図９のＡ部分の変形例を示す。
【００６０】
図１０において、第３傾斜面２３３は、断面五角形の溝として構成されている。この場合、対応する第１傾斜面は、断面五角形の突起として構成される（図示省略）。
【００６１】
図１１において、第３傾斜面３３３は、断面三角形の溝として構成されている。この場合、対応する第１傾斜面は、断面三角形の突起として構成される（図示省略）。
【００６２】
図１２において、第３傾斜面４３３は、断面略Ｕ形の溝として構成されている。この場合、対応する第１傾斜面は、断面略Ｕ形の突起として構成される（図示省略）。
【００６３】
このように、傾斜面には種々の断面形状を採用できる。
【００６４】
なお、本発明は図示された実施例に限定されない。突起や溝の個数、形状等は任意である。
【図面の簡単な説明】
【００６５】
【図１】本発明によるスライド式ブロックを概念的に示す側面図である。
【図２】図１の第１傾斜面と第３傾斜面が接触し、第２傾斜面と第４傾斜面が接触した状態を示す。
【図３】図１の第１傾斜面と第３傾斜面が相対的にスライドした状態を示す。
【図４】本発明のスライド式ブロックの一例を示す分解斜視図である。
【図５】図４のブロック部分が積み重ねられた状態を示す正面図である。
【図６】図５の側面図である。
【図７】図５の上面図である。
【図８】図５の底面図である。
【図９】本発明のスライド式ブロックの変形例を示す分解斜視図である。
【図１０】図９のＡ部分の変形例を示す。
【図１１】図９のＡ部分の別の変形例を示す。
【図１２】図９のＡ部分の更に別の変形例を示す。
【符号の説明】
【００６６】
１０、３０  スライド式ブロック
１１、３１  第１傾斜面
１２、３２  第２傾斜面
１３、３３  第３傾斜面
１４、３４  第４傾斜面
３５  第１ブロック部分
３６  第２ブロック部分
３７  第３ブロック部分
Ｘ、Ｙ  方向
Ｆ  力
【図１】
2006183790.tif 000003
【図２】
2006183790.tif 000004
【図３】
2006183790.tif 000005
【図４】
2006183790.tif 000006
【図５】
2006183790.tif 000007
【図６】
2006183790.tif 000008
【図７】
2006183790.tif 000009
【図８】
2006183790.tif 000010
【図９】
2006183790.tif 000011
【図１０】
2006183790.tif 000012
【図１１】
2006183790.tif 000013
【図１２】
2006183790.tif 000014